(57)【要約】【課題】ユーザ毎にＡＶ信号の再生に制限を加えることが可能な信号再生装置を提供する。【解決手段】本発明に係る信号再生装置は、ＡＶ信号と、ユーザの識別情報に基づいてユーザ毎に該ＡＶ信号の再生が許可されているか否かを判断するための再生制限情報とが記録された記録媒体を対象として、ＡＶ信号及び再生制限情報を再生することが可能である。該信号再生装置の主制御回路２１は、ユーザにより識別情報の入力操作及び再生操作が行なわれたとき、磁気テープ１１に記録されている再生制限情報と入力された識別情報とに基づいて、該ユーザに磁気テープ１１に記録されているＡＶ信号の再生が許可されているか否かを判断し、再生が許可されていると判断された場合に限って、磁気テープ１１に記録されているＡＶ信号を再生する。【選択図】      図１
2004280939.tif 000002
【特許請求の範囲】
【請求項１】
音響信号及び／又は映像信号を含む音響・映像信号と、ユーザの識別情報に基づいてユーザ毎に該音響・映像信号の再生が許可されているか否かを判断するための再生制限情報とが記録された記録媒体を対象として、音響・映像信号及び再生制限情報を再生することが可能な信号再生装置であって、
ユーザの識別情報を入力するための入力手段と、
ユーザにより識別情報の入力操作及び再生操作が行なわれたとき、記録媒体に記録されている再生制限情報と入力された識別情報とに基づいて、該ユーザに記録媒体に記録されている音響・映像信号の再生が許可されているか否かを判断する再生許否判断手段と、
再生が許可されていると判断された場合に限って、記録媒体に記録されている音響・映像信号の再生を指令する再生制御手段
とを具えていることを特徴とする信号再生装置。
【請求項２】
音響信号及び／又は映像信号を含む音響・映像信号と、ユーザの識別情報に基づいてユーザ毎に該音響・映像信号の再生が許可されているか否かを判断するための再生制限情報とを記録媒体に記録すると共に、記録媒体に記録されている音響・映像信号及び再生制限情報を再生することが可能な信号記録再生装置であって、
再生制限情報を記録媒体に記録する記録手段と、
ユーザにより再生制限情報が入力されたとき、入力された再生制限情報を記録すべき旨を前記記録手段に指令する記録制御手段と、
ユーザの識別情報を入力するための入力手段と、
ユーザにより識別情報の入力操作及び再生操作が行なわれたとき、記録媒体に記録されている再生制限情報と入力された識別情報とに基づいて、該ユーザに記録媒体に記録されている音響・映像信号の再生が許可されているか否かを判断する再生許否判断手段と、
再生が許可されていると判断された場合に限って、記録媒体に記録されている音響・映像信号の再生を指令する再生制御手段
とを具えていることを特徴とする信号記録再生装置。
【請求項３】
音響信号及び／又は映像信号を含む音響・映像信号を記録媒体に記録すると共に、音響・映像信号と、ユーザの識別情報に基づいてユーザ毎に該音響・映像信号の再生が許可されているか否かを判断するための再生制限情報と、ユーザの識別情報に基づいてユーザ毎に音響・映像信号の消去が許可されているか否かを判断するための消去制限情報とが記録された記録媒体を対象として、音響・映像信号、再生制限情報及び消去制限情報を再生することが可能な信号記録再生装置であって、
ユーザの識別情報を入力するための入力手段と、
ユーザにより識別情報の入力操作及び再生操作が行なわれたとき、記録媒体に記録されている再生制限情報と入力された識別情報とに基づいて、該ユーザに記録媒体に記録されている音響・映像信号の再生が許可されているか否かを判断する再生許否判断手段と、
再生が許可されていると判断された場合に限って、記録媒体に記録されている音響・映像信号の再生を指令する再生制御手段と、
記録媒体に記録されている音響・映像信号を消去する消去手段と、
ユーザにより識別情報の入力操作及び消去操作が行なわれたとき、記録媒体に記録されている消去制限情報と入力された識別情報とに基づいて、該ユーザに記録媒体に記録されている音響・映像信号の消去が許可されているか否かを消去許否判断手段と、
消去が許可されていると判断された場合に限って、記録媒体に記録されている音響・映像信号を消去すべき旨を前記消去手段に指令する消去制御手段
とを具えていることを特徴とする信号記録再生装置。
【請求項４】
再生制限情報及び／又は消去制限情報を記録媒体に記録する記録手段と、
ユーザにより再生制限情報及び／又は消去制限情報が入力されたとき、入力された再生制限情報及び／又は消去制限情報を記録すべき旨を前記記録手段に指令する記録制御手段
とを具えている請求項３に記載の信号記録再生装置。
【請求項５】
音響信号及び／又は映像信号を含む音響・映像信号と、ユーザの識別情報に対応付けられた付加記号とが記録された記録媒体を対象として、音響・映像信号及び付加記号を再生することが可能な信号再生装置であって、
ユーザの識別情報を入力するための入力手段と、
ユーザにより入力された識別情報を付加記号と対応付けて登録する登録手段と、
識別情報の登録後、ユーザにより識別情報の入力操作及び再生操作が行なわれたとき、入力された識別情報に対応する付加記号と記録媒体に記録されている付加記号とを比較することによって、該ユーザに記録媒体に記録されている音響・映像信号の再生が許可されているか否かを判断する再生許否判断手段と、
再生が許可されていると判断された場合に限って、記録媒体に記録されている音響・映像信号の再生を指令する再生制御手段
とを具えていることを特徴とする信号再生装置。
【請求項６】
前記付加記号は視聴制限レベルであって、記録媒体には、該記録媒体が再生専用の記録媒体であるか否かを表わす記録情報が記録されており、更に、記録媒体に記録されている記録情報に基づいて、該記録媒体が再生専用の記録媒体であるか否かを判断する手段を具え、前記再生許否判断手段は、
記録媒体が再生専用の記録媒体であると判断されたとき、記録媒体に記録されている視聴制限レベルが前記入力された識別情報に対応する視聴制限レベル以下である場合に再生が許可されていると判断する一方、記録媒体に記録されている視聴制限レベルが前記入力された識別情報に対応する視聴制限レベルを上回る場合に再生が許可されていないと判断する第１判断手段と、
記録媒体が再生専用の記録媒体でないと判断されたとき、記録媒体に記録されている視聴制限レベルと前記入力された識別情報に対応する視聴制限レベルが一致する場合に再生が許可されていると判断する一方、記録媒体に記録されている視聴制限レベルと前記入力された識別情報に対応する視聴制限レベルが異なる場合に再生が許可されていないと判断する第２判断手段
とを具えている請求項５に記載の信号再生装置。
【請求項７】
音響信号及び／又は映像信号を含む音響・映像信号と、ユーザの識別情報に対応付けられた付加記号とを記録媒体に記録すると共に、記録媒体に記録されている音響・映像信号及び付加記号を再生することが可能な信号記録再生装置であって、
ユーザの識別情報を入力するための入力手段と、
ユーザにより入力された識別情報を付加記号と対応付けて登録する登録手段と、
音響・映像信号及び付加記号を記録媒体に記録する記録手段と、
識別情報の登録後、ユーザにより識別情報の入力操作及び記録操作が行なわれたとき、音響・映像信号と共に、入力された識別情報に対応する付加記号を記録媒体に記録すべき旨を前記記録手段に指令する記録制御手段と、
識別情報の登録後、ユーザにより識別情報の入力操作及び再生操作が行なわれたとき、入力された識別情報に対応する付加記号と記録媒体に記録されている付加記号とを比較することによって、該ユーザに記録媒体に記録されている音響・映像信号の再生が許可されているか否かを判断する再生許否判断手段と、
再生が許可されていると判断された場合に限って、記録媒体に記録されている音響・映像信号の再生を指令する再生制御手段
とを具えていることを特徴とする信号記録再生装置。
【請求項８】
音響信号及び／又は映像信号を含む音響・映像信号を記録媒体に記録すると共に、音響・映像信号とユーザの識別情報に対応付けられた付加記号とが記録された記録媒体を対象として音響・映像信号及び付加記号を再生することが可能な信号記録再生装置であって、
ユーザの識別情報を入力するための入力手段と、
ユーザにより入力された識別情報を付加記号と対応付けて登録する登録手段と、
識別情報の登録後、ユーザにより識別情報の入力操作及び再生操作が行なわれたとき、入力された識別情報に対応する付加記号と記録媒体に記録されている付加記号とを比較することによって、該ユーザに記録媒体に記録されている音響・映像信号の再生が許可されているか否かを判断する再生許否判断手段と、
再生が許可されていると判断された場合に限って、記録媒体に記録されている音響・映像信号の再生を指令する再生制御手段と、
記録媒体に記録されている音響・映像信号を消去する消去手段と、
識別情報の登録後、ユーザにより識別情報の入力操作及び消去操作が行なわれたとき、入力された識別情報に対応する付加記号と記録媒体に記録されている付加記号とを比較することによって、該ユーザに記録媒体に記録されている音響・映像信号の消去が許可されているか否かを判断する消去許否判断手段と、
消去が許可されていると判断された場合に限って、記録媒体に記録されている音響・映像信号を消去すべき旨を前記消去手段に指令する消去制御手段
とを具えていることを特徴とする信号記録再生装置。
【請求項９】
音響・映像信号及び付加記号を記録媒体に記録する記録手段と、
識別情報の登録後、ユーザにより識別情報の入力操作及び記録操作が行なわれたとき、音響・映像信号と共に、入力された識別情報に対応する付加記号を記録媒体に記録すべき旨を前記記録手段に指令する記録制御手段
とを具えている請求項８に記載の信号記録再生装置。
【請求項１０】
前記付加記号は視聴制限レベルであって、記録媒体には、該記録媒体が再生専用の記録媒体であるか否かを表わす記録情報が記録されており、更に、記録媒体に記録されている記録情報に基づいて、該記録媒体が再生専用の記録媒体であるか否かを判断する手段を具え、前記再生許否判断手段は、
記録媒体が再生専用の記録媒体であると判断されたとき、記録媒体に記録されている視聴制限レベルが前記入力された識別情報に対応する視聴制限レベル以下である場合に再生が許可されていると判断する一方、記録媒体に記録されている視聴制限レベルが前記入力された識別情報に対応する視聴制限レベルを上回る場合に再生が許可されていないと判断する第１判断手段と、
記録媒体が再生専用の記録媒体でないと判断されたとき、記録媒体に記録されている視聴制限レベルと前記入力された識別情報に対応する視聴制限レベルが一致する場合に再生が許可されていると判断する一方、記録媒体に記録されている視聴制限レベルと前記入力された識別情報に対応する視聴制限レベルが異なる場合に再生が許可されていないと判断する第２判断手段
とを具えている請求項７乃至請求項９の何れかに記載の信号記録再生装置。
【発明の詳細な説明】
【０００１】
【発明の属する技術分野】
本発明は、音響信号及び／又は映像信号を含む音響・映像（ＡＶ）信号の再生が可能なＶＴＲやＤＶＤレコーダ等の信号再生装置及び信号記録再生装置に関するものである。
【０００２】
【従来の技術】
従来、ＶＴＲ、ＤＶＤレコーダ、ハードディスクプレーヤ等、種々の信号記録再生装置が知られており、信号記録再生装置においては、再生操作を行なうことによって、ビデオテープやディスクに記録されているＡＶ信号を再生することが可能であると共に、消去操作を行なうことによって、ビデオテープやディスクからＡＶ信号を消去することが可能である。又、記録操作を行なうことによって、ＡＶ信号をビデオテープやディスクに記録することが可能である。
又、ＤＶＤプレーヤとしては、ＤＶＤに記録されている番組データの再生に制限を加えることが可能なプレーヤが知られている。この種のプレーヤにおいては、パレンタルレベル（Ｐａｒｅｎｔａｌ  ｌｅｖｅｌ）と称される視聴制限レベルを予め設定しておけば、その後、ユーザにより再生操作が行なわれた場合であっても、ＤＶＤに記録されている視聴制限レベルがプレーヤ本体に設定されている視聴制限レベルより大きい場合には再生動作が実行されず、視聴が不可能となる。尚、出願人は、光ディスク毎に視聴制限レベルを設定することが可能な光ディスク再生装置を特許出願中である（特許文献１参照）。
【０００３】
【特許文献１】
特開２００１−１６７５１７号公報
【０００４】
【発明が解決しようとする課題】
しかしながら、従来のＶＴＲやハードディスクプレーヤにおいては、再生操作を行なえば、再生操作を行なったユーザが誰であるかに拘わらず常にＡＶ信号が再生されるので、子供に悪影響を与える内容の番組を子供が視聴することを防止することが出来ない問題があった。
又、番組データの再生に制限を加えることが可能なＤＶＤプレーヤにおいては、視聴制限レベルを設定しておくことによって番組データの再生に制限を加えることが出来るものの、設定可能な視聴制限レベルは１つであるため、ユーザが変わる度に視聴制限レベルの設定を変更する操作を行なわねばならず、面倒である問題があった。
そこで本発明の目的は、ユーザ毎にＡＶ信号の再生に制限を加えることが可能な信号再生装置及び信号記録再生装置を提供し、上記の問題点を解決することである。
【０００５】
【課題を解決する為の手段】
本発明に係る第１の信号再生装置は、音響信号及び／又は映像信号を含むＡＶ信号と、ユーザの識別情報に基づいてユーザ毎に該ＡＶ信号の再生が許可されているか否かを判断するための再生制限情報とが記録された記録媒体を対象として、ＡＶ信号及び再生制限情報を再生することが可能である。そして、該信号再生装置は、
ユーザの識別情報を入力するための入力手段と、
ユーザにより識別情報の入力操作及び再生操作が行なわれたとき、記録媒体に記録されている再生制限情報と入力された識別情報とに基づいて、該ユーザに記録媒体に記録されているＡＶ信号の再生が許可されているか否かを判断する再生許否判断手段と、
再生が許可されていると判断された場合に限って、記録媒体に記録されているＡＶ信号の再生を指令する再生制御手段
とを具えている。
【０００６】
上記本発明に係る第１の信号再生装置においては、ユーザが識別情報の入力操作を行なうと共に再生操作を行なうと、記録媒体に記録されている再生制限情報と入力された識別情報とに基づいて、該ユーザにＡＶ信号の再生が許可されているか否かが判断され、再生が許可されていると判断された場合に限って、該ＡＶ信号が再生されることになる。
この様にして、ユーザ毎にＡＶ信号の再生の許否が判断され、再生が許可されている場合に限って該ＡＶ信号が再生されるので、従来の如く子供に悪影響を与える内容の番組を子供が視聴することを防止することが出来る。又、従来のＤＶＤプレーヤの如く再生制限情報の設定を変更する操作は不要である。
【０００７】
本発明に係る第２の信号再生装置は、音響信号及び／又は映像信号を含むＡＶ信号と、ユーザの識別情報に対応付けられた付加記号とが記録された記録媒体を対象として、ＡＶ信号及び付加記号を再生することが可能である。そして、該信号再生装置は、
ユーザの識別情報を入力するための入力手段と、
ユーザにより入力された識別情報を付加記号と対応付けて登録する登録手段と、
識別情報の登録後、ユーザにより識別情報の入力操作及び再生操作が行なわれたとき、入力された識別情報に対応する付加記号と記録媒体に記録されている付加記号とを比較することによって、該ユーザに記録媒体に記録されているＡＶ信号の再生が許可されているか否かを判断する再生許否判断手段と、
再生が許可されていると判断された場合に限って、記録媒体に記録されているＡＶ信号の再生を指令する再生制御手段
とを具えている。
【０００８】
上記本発明に係る第２の信号再生装置においては、ユーザが識別情報の入力操作を行なうと、入力された識別情報が付加記号と対応付けられて登録される。
その後、ユーザが識別情報の入力操作を行なうと共に再生操作を行なうと、入力された識別情報に対応する付加記号と記録媒体に記録されている付加記号とを比較することによって該ユーザにＡＶ信号の再生が許可されているか否かが判断され、再生が許可されていると判断された場合に限って、該ＡＶ信号が再生されることになる。
この様にして、ユーザ毎にＡＶ信号の再生の許否が判断され、再生が許可されている場合に限って該ＡＶ信号が再生されるので、従来の如く子供に悪影響を与える内容の番組を子供が視聴することを防止することが出来る。又、従来のＤＶＤプレーヤの如く再生制限情報の設定を変更する操作等の操作は不要である。
【０００９】
具体的には、前記付加記号は視聴制限レベルであって、記録媒体には、該記録媒体が再生専用の記録媒体であるか否かを表わす記録情報が記録されている。そして、前記第２の信号記録再生装置は、更に、記録媒体に記録されている記録情報に基づいて、該記録媒体が再生専用の記録媒体であるか否かを判断する手段を具え、前記再生許否判断手段は、
記録媒体が再生専用の記録媒体であると判断されたとき、記録媒体に記録されている視聴制限レベルが前記入力された識別情報に対応する視聴制限レベル以下である場合に再生が許可されていると判断する一方、記録媒体に記録されている視聴制限レベルが前記入力された識別情報に対応する視聴制限レベルを上回る場合に再生が許可されていないと判断する第１判断手段と、
記録媒体が再生専用の記録媒体でないと判断されたとき、記録媒体に記録されている視聴制限レベルと前記入力された識別情報に対応する視聴制限レベルが一致する場合に再生が許可されていると判断する一方、記録媒体に記録されている視聴制限レベルと前記入力された識別情報に対応する視聴制限レベルが異なる場合に再生が許可されていないと判断する第２判断手段
とを具えている。
【００１０】
上記具体的構成においては、記録媒体が再生専用の記録媒体である場合には、上記従来の視聴制限機能が発揮される。即ち、記録媒体に記録されている視聴制限レベルがユーザにより入力された識別情報に対応する視聴制限レベル以下である場合に限って、記録媒体に記録されているＡＶ信号が再生されることになる。
一方、記録媒体が再生専用の記録媒体でない場合には、記録媒体に記録されている視聴制限レベルとユーザにより入力された識別情報に対応する視聴制限レベルが一致する場合、即ち記録媒体に記録されているＡＶ信号が該ユーザの記録した信号である場合に限って、該ＡＶ信号が再生されることになる。
【００１１】
本発明に係る第１の信号記録再生装置は、音響信号及び／又は映像信号を含むＡＶ信号と、ユーザの識別情報に基づいてユーザ毎に該ＡＶ信号の再生が許可されているか否かを判断するための再生制限情報とを記録媒体に記録すると共に、記録媒体に記録されているＡＶ信号及び再生制限情報を再生することが可能である。そして、該信号記録再生装置は、
再生制限情報を記録媒体に記録する記録手段と、
ユーザにより再生制限情報が入力されたとき、入力された再生制限情報を記録すべき旨を前記記録手段に指令する記録制御手段と、
ユーザの識別情報を入力するための入力手段と、
ユーザにより識別情報の入力操作及び再生操作が行なわれたとき、記録媒体に記録されている再生制限情報と入力された識別情報とに基づいて、該ユーザに記録媒体に記録されているＡＶ信号の再生が許可されているか否かを判断する再生許否判断手段と、
再生が許可されていると判断された場合に限って、記録媒体に記録されているＡＶ信号の再生を指令する再生制御手段
とを具えている。
【００１２】
上記本発明に係る第１の信号記録再生装置においては、ユーザが再生制限情報の入力操作を行なうと、入力された再生制限情報が記録媒体に記録される。その後、識別情報の入力操作及び再生操作を行なうと、この再生制限情報と入力された識別情報とに基づいて、該ユーザにＡＶ信号の再生が許可されているか否かが判断され、再生が許可されていると判断された場合に限って、該ＡＶ信号が再生されることになる。
この様にして、ユーザ毎にＡＶ信号の再生の許否が判断され、再生が許可されている場合に限って該ＡＶ信号が再生されるので、従来の如く子供に悪影響を与える内容の番組を子供が視聴することを防止することが出来る。又、従来のＤＶＤプレーヤの如く再生制限情報の設定を変更する操作等の操作は不要である。
【００１３】
本発明に係る第２の信号記録再生装置は、音響信号及び／又は映像信号を含むＡＶ信号を記録媒体に記録すると共に、ＡＶ信号と、ユーザの識別情報に基づいてユーザ毎に該ＡＶ信号の再生が許可されているか否かを判断するための再生制限情報と、ユーザの識別情報に基づいてユーザ毎にＡＶ信号の消去が許可されているか否かを判断するための消去制限情報とが記録された記録媒体を対象として、ＡＶ信号、再生制限情報及び消去制限情報を再生することが可能である。そして、該信号記録再生装置は、
ユーザの識別情報を入力するための入力手段と、
ユーザにより識別情報の入力操作及び再生操作が行なわれたとき、記録媒体に記録されている再生制限情報と入力された識別情報とに基づいて、該ユーザに記録媒体に記録されているＡＶ信号の再生が許可されているか否かを判断する再生許否判断手段と、
再生が許可されていると判断された場合に限って、記録媒体に記録されているＡＶ信号の再生を指令する再生制御手段と、
記録媒体に記録されているＡＶ信号を消去する消去手段と、
ユーザにより識別情報の入力操作及び消去操作が行なわれたとき、記録媒体に記録されている消去制限情報と入力された識別情報とに基づいて、該ユーザに記録媒体に記録されているＡＶ信号の消去が許可されているか否かを消去許否判断手段と、
消去が許可されていると判断された場合に限って、記録媒体に記録されているＡＶ信号を消去すべき旨を前記消去手段に指令する消去制御手段
とを具えている。
【００１４】
上記本発明に係る第２の信号記録再生装置においては、ユーザが識別情報の入力操作を行なうと共に再生操作を行なうと、記録媒体に記録されている再生制限情報と入力された識別情報とに基づいて、該ユーザにＡＶ信号の再生が許可されているか否かが判断され、再生が許可されていると判断された場合に限って、該ＡＶ信号が再生されることになる。
又、ユーザが識別情報の入力操作を行なうと共に消去操作を行なうと、記録媒体に記録されている消去制限情報と入力された識別情報とに基づいて、該ユーザにＡＶ信号の消去が許可されているか否かが判断され、消去が許可されていると判断された場合に限って、該ＡＶ信号が消去されることになる。
上述の如く、ユーザ毎にＡＶ信号の再生の許否が判断され、再生が許可されている場合に限って該ＡＶ信号が再生されるので、従来の如く子供に悪影響を与える内容の番組を子供が視聴することを防止することが出来る。又、従来のＤＶＤプレーヤの如く再生制限情報の設定を変更する操作は不要である。
又、ユーザ毎にＡＶ信号の消去の許否が判断され、消去が許可されている場合に限って該ＡＶ信号が消去されるので、自己の記録したＡＶ信号が知らない間に他人に消去されることを防止することが出来る。
【００１５】
本発明に係る第３の信号記録再生装置は、音響信号及び／又は映像信号を含むＡＶ信号と、ユーザの識別情報に対応付けられた付加記号とを記録媒体に記録すると共に、記録媒体に記録されているＡＶ信号及び付加記号を再生することが可能である。そして、該信号記録再生装置は、
ユーザの識別情報を入力するための入力手段と、
ユーザにより入力された識別情報を付加記号と対応付けて登録する登録手段と、
ＡＶ信号及び付加記号を記録媒体に記録する記録手段と、
識別情報の登録後、ユーザにより識別情報の入力操作及び記録操作が行なわれたとき、ＡＶ信号と共に、入力された識別情報に対応する付加記号を記録媒体に記録すべき旨を前記記録手段に指令する記録制御手段と、
識別情報の登録後、ユーザにより識別情報の入力操作及び再生操作が行なわれたとき、入力された識別情報に対応する付加記号と記録媒体に記録されている付加記号とを比較することによって、該ユーザに記録媒体に記録されているＡＶ信号の再生が許可されているか否かを判断する再生許否判断手段と、
再生が許可されていると判断された場合に限って、記録媒体に記録されているＡＶ信号の再生を指令する再生制御手段
とを具えている。
【００１６】
上記本発明に係る第３の信号記録再生装置においては、ユーザが識別情報の入力操作を行なうと、入力された識別情報が付加記号と対応付けられて登録される。
その後、ユーザが識別情報の入力操作及び記録操作を行なうと、ＡＶ信号と共に、ユーザにより入力された識別情報に対応する付加記号が記録媒体に記録されることになる。
更に、識別情報の入力操作を行なうと共に再生操作を行なうと、入力された識別情報に対応する付加記号と記録媒体に記録されている付加記号とを比較することによって該ユーザにＡＶ信号の再生が許可されているか否かが判断され、再生が許可されていると判断された場合に限って、該ＡＶ信号が再生されることになる。
この様にして、ユーザ毎にＡＶ信号の再生の許否が判断され、再生が許可されている場合に限って該ＡＶ信号が再生されるので、従来の如く子供に悪影響を与える内容の番組を子供が視聴することを防止することが出来る。又、従来のＤＶＤプレーヤの如く再生制限情報の設定を変更する操作等の操作は不要である。
【００１７】
本発明に係る第４の信号記録再生装置は、音響信号及び／又は映像信号を含むＡＶ信号を記録媒体に記録すると共に、ＡＶ信号とユーザの識別情報に対応付けられた付加記号とが記録された記録媒体を対象としてＡＶ信号及び付加記号を再生することが可能である。そして、該信号記録再生装置は、
ユーザの識別情報を入力するための入力手段と、
ユーザにより入力された識別情報を付加記号と対応付けて登録する登録手段と、
識別情報の登録後、ユーザにより識別情報の入力操作及び再生操作が行なわれたとき、入力された識別情報に対応する付加記号と記録媒体に記録されている付加記号とを比較することによって、該ユーザに記録媒体に記録されているＡＶ信号の再生が許可されているか否かを判断する再生許否判断手段と、
再生が許可されていると判断された場合に限って、記録媒体に記録されているＡＶ信号の再生を指令する再生制御手段と、
記録媒体に記録されているＡＶ信号を消去する消去手段と、
識別情報の登録後、ユーザにより識別情報の入力操作及び消去操作が行なわれたとき、入力された識別情報に対応する付加記号と記録媒体に記録されている付加記号とを比較することによって、該ユーザに記録媒体に記録されているＡＶ信号の消去が許可されているか否かを判断する消去許否判断手段と、
消去が許可されていると判断された場合に限って、記録媒体に記録されているＡＶ信号を消去すべき旨を前記消去手段に指令する消去制御手段
とを具えている。
【００１８】
上記本発明に係る第４の信号記録再生装置においては、ユーザが識別情報の入力操作を行なうと、入力された識別情報が付加記号と対応付けられて登録される。
その後、ユーザが識別情報の入力操作を行なうと共に再生操作を行なうと、入力された識別情報に対応する付加記号と記録媒体に記録されている付加記号とを比較することによって該ユーザにＡＶ信号の再生が許可されているか否かが判断され、再生が許可されていると判断された場合に限って、該ＡＶ信号が再生されることになる。
更に、ユーザが識別情報の入力操作を行なうと共に消去操作を行なうと、入力された識別情報に対応する付加記号と記録媒体に記録されている付加記号とを比較することによって該ユーザにＡＶ信号の消去が許可されているか否かが判断され、消去が許可されていると判断された場合に限って、該ＡＶ信号が消去されることになる。
上述の如く、ユーザ毎にＡＶ信号の再生の許否が判断され、再生が許可されている場合に限って該ＡＶ信号が再生されるので、従来の如く子供に悪影響を与える内容の番組を子供が視聴することを防止することが出来る。又、従来のＤＶＤプレーヤの如く再生制限情報の設定を変更する操作等の操作は不要である。
又、ユーザ毎にＡＶ信号の消去の許否が判断され、消去が許可されている場合に限って該ＡＶ信号が消去されるので、自己の記録したＡＶ信号が知らない間に他人に消去されることを防止することが出来る。
【００１９】
【発明の効果】
本発明に係る信号再生装置及び信号記録再生装置によれば、ユーザ毎にＡＶ信号の再生に制限を加えることが出来る。
【００２０】
【発明の実施の形態】
以下、本発明をＶＴＲ及びＤＶＤレコーダに実施した形態につき、２つの実施例に基づいて具体的に説明する。
第１実施例
本実施例のＶＴＲは、図１に示す如く、ＶＨＦ放送波やＵＨＦ放送波等の地上放送波を受信する地上放送波受信用アンテナ（３）と、ＢＳやＣＳ等の衛星からの衛星放送波を受信する衛星放送波受信用アンテナ（５）とを具えており、地上放送波受信用アンテナ（３）によって受信された地上放送波は地上放送用チューナ（４）によってチューニングされ、これによって得られた放送信号は記録用信号処理回路（７）に供給される。一方、衛星放送波受信用アンテナ（５）によって受信された衛星放送波は衛星放送用チューナ（６）によってチューニングされ、これによって得られた放送信号は記録用信号処理回路（７）に供給される。
又、該ＶＴＲは、１つの外部ビデオ入力端子（１）及び１つの外部オーディオ入力端子（２）を具えており、これらの入力端子（１）（２）には、ＤＶＤプレーヤ等のＡＶ出力機器（図示省略）が接続される。ＡＶ出力機器から外部ビデオ入力端子（１）及び外部オーディオ入力端子（２）に入力された映像信号及び音声信号は、記録用信号処理回路（７）に供給される。
【００２１】
記録用信号処理回路（７）では、入力された信号に所定の信号処理が施され、これによって得られた信号は、記録アンプ（８）に供給されて増幅された後、ロータリートランス（９）を経て磁気ヘッド（１０）（１０）に供給され、磁気テープ（１１）に記録される。
一方、磁気ヘッド（１０）（１０）によって磁気テープ（１１）から読み出された信号は、ロータリートランス（９）を経て再生アンプ（１２）に供給され、該アンプ（１２）によって増幅された後、再生用信号処理回路（１３）に供給されて所定の信号処理を受ける。再生用信号処理回路（１３）にて得られた映像信号は、外部ビデオ出力端子（１４）から該出力端子（１４）に接続されたモニタ（図示省略）に出力される一方、再生用信号処理回路（１３）にて得られた音声信号は、外部オーディオ出力端子（１５）から該出力端子（１５）に接続されたスピーカ（図示省略）に出力される。
【００２２】
リール台を回転駆動する２つのリールモータ（１６）（１６）には、第１モータ制御回路（１９）が接続されており、該制御回路（１９）によって２つのリールモータ（１６）（１６）の回転が制御されている。一方、キャプスタンを回転駆動するキャプスタンモータ（１７）、及びシリンダを回転駆動するシリンダモータ（１８）には、第２モータ制御回路（２０）が接続されており、該制御回路（２０）によってキャプスタンモータ（１７）及びシリンダモータ（１８）の回転が制御されている。
又、上述の記録用信号処理回路（７）、再生用信号処理回路（１３）、第１モータ制御回路（１９）及び第２モータ制御回路（２０）には主制御回路（２１）が接続されている。主制御回路（２１）には、キー入力装置（図示省略）が接続されたキー入力端子（２２）が接続されると共に、メカスイッチ（図示省略）が接続されたスイッチ入力端子（２３）が接続されており、これら２つの入力端子（２２）（２３）を経て入力された信号に基づいて、上述の記録用信号処理回路（７）、再生用信号処理回路（１３）、第１モータ制御回路（１９）及び第２モータ制御回路（２０）の動作が制御される。
【００２３】
図２は、上記主制御回路（２１）の内蔵メモリに格納されているユーザ認証テーブル情報を表わしており、該テーブル情報は、ユーザに対し自動的に付与されたＩＤ番号情報、ユーザ名情報、及びパスワード情報から構成されている。
【００２４】
図３は、本実施例のＶＴＲによって磁気テープに記録されたビットストリームのフォーマットを表わしており、該ビットストリームは、一連のＡＶ信号からなる１或いは複数のＡＶブロックと、各ＡＶブロックのＩＤ番号情報と、１或いは複数のＡＶブロックについてのアクセス制御テーブル情報とから構成されている。
アクセス制御テーブル情報には、各ＡＶブロックについて、ＡＶブロックのＩＤ番号情報、ＡＶブロックを記録したユーザのＩＤ番号情報からなる記録者情報、ＡＶブロックの再生が許可されているユーザのＩＤ番号情報からなる再生可能情報、及びＡＶブロックの消去が許可されているユーザのＩＤ番号情報からなる消去可能情報が含まれている。
【００２５】
図４は、本実施例の主制御回路（２１）によって実行される制御手続きを表わしている。
ユーザによりユーザ名及びパスワードが入力されると、先ずステップＳ１にて、図２に示すユーザ認証テーブル情報に基づいて、該ユーザが新たなユーザであるか否かを判断する。ここで、ユーザ認証テーブル情報に前記入力されたユーザ名及びパスワードが含まれていない場合には、イエスと判断されてステップＳ２に移行し、ユーザにより入力されたユーザ名及びパスワードをユーザ認証テーブル情報に追加する。一方、ユーザ認証テーブル情報に前記入力されたユーザ名及びパスワードが含まれている場合には、ステップＳ１にてノーと判断されてステップＳ３に移行し、ユーザ名及びパスワードの認証を行なう。
【００２６】
続いてステップＳ４では、記録操作、再生操作及び消去操作の何れの操作が行なわれたかを判別する。
記録操作が行なわれた場合には、ステップＳ５に移行して、ＡＶブロック及びそのＩＤ番号情報を磁気テープに記録し、更に、該ＩＤ番号情報を図３に示すアクセス制御テーブル情報に追加すると共に現在のユーザのＩＤ番号情報を記録者情報として該テーブル情報に追加した後、ステップＳ６では、図２に示すユーザ認証テーブル情報に基づいて、現在のユーザ以外の他のユーザが存在するか否かを判断する。ここで、ユーザ認証テーブル情報に現在のユーザ以外のユーザ名及びパスワードが含まれていない場合には、ノーと判断されて手続きを終了する一方、現在のユーザ以外のユーザ名及びパスワードが含まれている場合には、イエスと判断されてステップＳ７に移行し、ユーザの入力操作に応じて、前記記録されたＡＶブロックの再生が許可されているユーザのＩＤ番号情報を再生可能情報として図３に示すアクセス制御テーブル情報に追加すると共に、該ＡＶブロックの消去が許可されているユーザのＩＤ番号情報を消去可能情報として該テーブル情報に追加して、手続きを終了する。
【００２７】
消去操作が行なわれた場合には、ステップＳ８に移行して、ユーザにより選択されたＡＶブロックを認識した後、ステップＳ９では、図３に示すアクセス制御テーブル情報に基づいて、前記選択されたＡＶブロックは現在のユーザに消去が許可されているブロックであるか否かを判断する。ここで、アクセス制御テーブル情報に含まれている１或いは複数の消去可能情報の内、前記選択されたＡＶブロックについての消去可能情報に現在のユーザのＩＤ番号情報が含まれていない場合には、ノーと判断されて手続きを終了する一方、現在のユーザのＩＤ番号情報が含まれている場合にはイエスと判断されてステップＳ１０に移行し、前記選択されたＡＶブロック及びそのＩＤ番号情報を消去すると共に、アクセス制御テーブル情報から該ＡＶブロックについてのＩＤ番号情報、記録者情報、再生可能情報及び消去可能情報を消去して、手続きを終了する。
【００２８】
再生操作が行なわれた場合には、ステップＳ１１に移行して、ユーザにより選択されたＡＶブロックを認識した後、ステップＳ１２では、図３に示すアクセス制御テーブル情報に基づいて、前記選択されたＡＶブロックが現在のユーザによって記録されたブロックであるか否かを判断する。ここで、アクセス制御テーブル情報に含まれている１或いは複数の記録者情報の内、前記選択されたＡＶブロックについての記録者情報が現在のユーザのＩＤ番号情報と一致する場合には、イエスと判断されてステップＳ１５に移行し、前記選択されたＡＶブロックを再生して、手続きを終了する。
一方、記録者情報が現在のユーザのＩＤ番号情報と不一致である場合には、ステップＳ１２にてノーと判断されてステップＳ１３に移行し、アクセス制御テーブル情報に基づいて、前記選択されたＡＶブロックが現在のユーザに再生が許可されているブロックであるか否かを判断する。ここで、アクセス制御テーブル情報に含まれている１或いは複数の再生可能情報の内、前記選択されたＡＶブロックについての再生可能情報に現在のユーザのＩＤ番号情報が含まれていない場合には、ノーと判断されてステップＳ１４に移行し、再生が不可能である旨を表示して、手続きを終了する。前記選択されたＡＶブロックについての再生可能情報に現在のユーザのＩＤ番号情報が含まれている場合には、ステップＳ１３にてイエスと判断されてステップＳ１５に移行し、前記選択されたＡＶブロックを再生して、手続きを終了する。
【００２９】
上記手続きによれば、ユーザにより記録操作が行なわれたとき、該ユーザ以外に他のユーザが存在する場合には、ＡＶブロックの記録を行なったユーザの入力操作に応じて、該ＡＶブロックについての再生可能情報及び／又は消去可能情報が図３に示すアクセス制限テーブル情報に追加される。
又、ユーザにより消去操作が行なわれたとき、選択されたＡＶブロックが該ユーザに消去が許可されているものである場合に限って、該ＡＶブロックが磁気テープから消去される。
更に、ユーザにより再生操作が行なわれたとき、選択されたＡＶブロックが該ユーザの記録したものである場合、及び該ユーザに再生が許可されているものである場合に限って、該ＡＶブロックが再生される。
【００３０】
本実施例のＶＴＲにおいては、上述の如く、ユーザにより再生操作が行なわれたとき、ＡＶブロックが該ユーザの記録したものである場合、及び該ユーザに再生が許可されているものである場合に限って、該ＡＶブロックが再生されるので、子供に悪影響を与える内容の番組を子供が視聴することを防止することが出来る。
又、ユーザにより消去操作が行なわれたとき、ＡＶブロックが該ユーザに消去が許可されているものである場合に限って、該ＡＶブロックが磁気テープから消去されるので、自己の記録したＡＶブロックが知らない間に他人に消去されることを防止することが出来る。
更に、従来のＤＶＤプレーヤの様に再生制限情報の設定を変更する操作等の操作は不要である。
【００３１】
第２実施例
本実施例のＤＶＤレコーダは、図５に示す如く、ビデオ入力端子（４７）及びオーディオ入力端子（４８）を具えており、これらのビデオ入力端子（４７）及びオーディオ入力端子（４８）には、ＴＶ受像機等のＡＶ出力機器（図示省略）が接続される。ＡＶ出力機器からビデオ入力端子（４７）に入力されたアナログ映像信号は、ビデオＡ／Ｄ変換回路（４５）に供給されてデジタルの映像データに変換され、該映像データは、ＭＰＥＧエンコード回路（４４）に供給される。一方、ＡＶ出力機器からオーディオ入力端子（４８）に入力されたアナログ音声信号は、オーディオＡ／Ｄ変換回路（４６）に供給されてデジタルの音声データに変換され、該音声データは、前記ＭＰＥＧエンコード回路（４４）に供給される。
【００３２】
ＭＰＥＧエンコード回路（４４）では、入力されたデジタル映像データ及びデジタル音声データにＭＰＥＧ圧縮処理が施され、これによって得られた圧縮映像データ及び圧縮音声データは、信号処理回路（４３）に供給されてスクランブル処理やエラー訂正処理等の所定のデジタル信号処理を受け、更にプリアンプ回路（４２）に供給されて所定の信号変換処理を受けた後、ピックアップ（３２）に供給され、ピックアップ（３２）によってＤＶＤ（３１）に記録される。
【００３３】
一方、ピックアップ（３２）によってＤＶＤ（３１）から読み出された圧縮映像データ及び圧縮音声データは、ＲＦアンプ（３６）に供給されて増幅された後、ＭＰＥＧデコード回路（３７）に供給されてエラー訂正処理やＭＰＥＧ伸長処理等の所定のデジタル信号処理を受ける。ＭＰＥＧデコード回路（３７）にて得られた映像データは、ビデオＤ／Ａ変換回路（３８）に供給されてアナログの映像信号に変換され、該映像信号は、ビデオ出力端子（４０）から該出力端子（４０）に接続されたモニタ（図示省略）に出力される。一方、ＭＰＥＧデコード回路（３７）にて得られた音声データは、オーディオＤ／Ａ変換回路（３９）に供給されてアナログの音声信号に変換され、該音声信号は、オーディオ出力端子（４１）から該出力端子（４１）に接続されたスピーカ（図示省略）に出力される。
【００３４】
ＤＶＤを回転駆動するスピンドルモータ（３４）及びピックアップ（３２）を駆動するスレッドモータ（３３）には、モータ制御回路（３５）が接続されており、該制御回路（３５）によって、スピンドルモータ（３４）及びスレッドモータ（３３）の回転が制御されている。
又、上述のＭＰＥＧエンコード回路（４４）及びモータ制御回路（３５）には、主制御回路（４９）が接続されている。主制御回路（４９）には、キー入力装置（図示省略）が接続されたキー入力端子（５０）が接続されると共に、メカスイッチ（図示省略）が接続されたスイッチ入力端子（５１）が接続されており、これら２つの入力端子（５０）（５１）を経て入力された信号に基づいて、ＭＰＥＧエンコード回路（４４）及びモータ制御回路（３５）の動作が制御される。又、主制御回路（４９）には、上述のＲＦアンプ（３６）の出力信号が入力され、該信号に基づいてサーボが実行される。
更に、主制御回路（４９）には、種々の情報を表示するための表示装置（５２）が接続されている。
【００３５】
図６は、上記主制御回路（４９）の内蔵メモリに格納されているユーザ認証テーブル情報を表わしている。
本実施例のＤＶＤレコーダにおいては、パレンタルレベルとして“１”〜“８”の値を設定することが可能であって、ユーザ認証テーブル情報は、“１”から“８”の何れかの値をとるパレンタルレベル情報、ユーザ名情報及びパスワード情報から構成されている。
【００３６】
図７は、本実施例のＤＶＤレコーダによってＤＶＤに記録されたビットストリームのフォーマットを表わしており、該ビットストリームは、一連のＡＶデータからなる１或いは複数のＡＶブロック、各ＡＶブロックのＩＤ番号情報、及び１或いは複数のＡＶブロックについてのアクセス制御テーブル情報から構成されている。アクセス制御テーブル情報には、各ＡＶブロックについて、ＡＶブロックのＩＤ番号情報及びパレンタルレベル情報が含まれている。
【００３７】
図８は、本実施例の主制御回路（４９）によって実行される制御手続きを表わしている。
ユーザによりユーザ名及びパスワードが入力されると、先ずステップＳ２１にて、図６に示すユーザ認証テーブル情報に基づいて、該ユーザが新たなユーザであるか否かを判断する。ここで、ユーザ認証テーブル情報に前記入力されたユーザ名及びパスワードが含まれていない場合には、イエスと判断されてステップＳ２２に移行し、ユーザ認証テーブル情報に基づいて、本レコーダの管理者となるユーザ（以下、管理者ユーザという）が存在するか否かを判断する。ここで、ユーザ認証テーブル情報に“８”の値をとるパレンタルレベル情報が含まれていない場合には、ノーと判断されてステップＳ２３に移行し、パレンタルレベル“８”、前記入力されたユーザ名及びパスワードをユーザ認証テーブル情報に追加した後、ステップＳ２６に移行する。一方、ユーザ認証テーブル情報に“８”の値をとるパレンタルレベル情報が含まれている場合には、ステップＳ２２にてイエスと判断されてステップＳ２４に移行し、パレンタルレベル“１”〜“７”の内、ユーザによって指定されたパレンタルレベル、前記入力されたユーザ名及びパスワードをユーザ認証テーブル情報に追加した後、ステップＳ２６に移行する。
ユーザ認証テーブル情報に前記入力されたユーザ名及びパスワードが含まれている場合には、ステップＳ２１にてノーと判断されてステップＳ２５に移行し、ユーザ名及びパスワードの認証を行なった後、ステップＳ２６に移行する。
【００３８】
ステップＳ２６では、レコーダ本体に装填されているＤＶＤが市販されている再生専用ディスクであるか否かを判断する。ここで、ＤＶＤには、ＰＦＩ（Ｐｈｙｓｉｃａｌ  Ｆｏｒｍａｔ  Ｉｎｆｏｒｍａｔｉｏｎ）と称されるフォーマット情報として、ＤＶＤが再生専用ディスクである場合には“００００”の値、記録可能なディスクである場合には“００００”以外の値が記録されている。従って、ＤＶＤに記録されているフォーマット情報が“００００”の値である場合には、イエスと判断されてステップＳ２７に移行し、図６に示すユーザ認証テーブル情報に基づいて、ＤＶＤに記録されているパレンタルレベルが現在のユーザのパレンタルレベル以下であるか否かを判断する。ここで、イエスと判断された場合には、ステップＳ２８に移行して、ＤＶＤに記録されているＡＶブロックを再生する一方、ノーと判断された場合には、再生不可能である旨を表示装置に表示することにより、その旨をユーザに報知して、手続きを終了する。
【００３９】
ＤＶＤに記録されているフォーマット情報が“００００”以外の値である場合には、ステップＳ２６にてノーと判断されてステップＳ３０に移行し、図６に示すユーザ認証テーブル情報に基づいて、現在のユーザが管理者ユーザであるか否かを判断する。
現在のユーザのパレンタルレベルが“８”の値である場合には、ステップＳ３０にてイエスと判断されてステップＳ３１に移行し、ユーザによる再生操作、消去操作或いは記録操作に応じて、ＡＶブロックの再生、消去或いは記録を行なう。ここで、ユーザにより選択されたＡＶブロックが何れのＡＶブロックであるかに拘わらず、選択されたＡＶブロックは再生され、或いは消去される。又、ＡＶブロックの消去時には、図７に示すアクセス制御テーブル情報から、該ＡＶブロックについてのＩＤ番号情報及びパレンタルレベル情報が消去される。又、ＡＶブロックの記録時には、該ＡＶブロックについてのＩＤ番号情報及びパレンタルレベル情報がアクセス制御テーブル情報に追加される。
【００４０】
現在のユーザのパレンタルレベルが“８”以外の値である場合には、ステップＳ３０にてノーと判断されてステップＳ３２に移行し、記録操作、再生操作及び消去操作の何れの操作が行なわれたかを判別する。
記録操作が行なわれた場合には、ステップＳ３３に移行して、図６に示すユーザ認証テーブル情報に含まれる１或いは複数のパレンタルレベル情報の内、現在のユーザのパレンタルレベル情報を内蔵メモリから読み出した後、ステップＳ３４にて、ＡＶブロック及びそのＩＤ番号情報をＤＶＤに記録すると共に、該ＩＤ番号情報及び前記読み出したパレンタルレベル情報を図７に示すアクセス制御テーブル情報に追加して、手続きを終了する。
【００４１】
再生操作或いは消去操作が行なわれた場合には、ステップＳ３５に移行して、図７に示すアクセス制御テーブル情報に基づいて、ユーザにより選択されたＡＶブロックが現在のユーザによって記録されたブロックであるか否かを判断する。ここで、アクセス制御テーブル情報に含まれている１或いは複数のパレンタルレベル情報の内、前記選択されたＡＶブロックについてのパレンタルレベル情報が現在のユーザのパレンタルレベル情報と一致する場合には、イエスと判断されてステップＳ３６に移行し、前記選択されたＡＶブロックを再生或いは消去して、手続きを終了する。ＡＶブロックの消去時には、図７に示すアクセス制御テーブル情報から、該ＡＶブロックについてのＩＤ番号情報及びパレンタルレベル情報が消去される。
これに対し、前記選択されたＡＶブロックについてのパレンタルレベル情報が現在のユーザのパレンタルレベル情報と不一致である場合には、ステップＳ３５にてノーと判断されてステップＳ３７に移行し、再生が不可能である旨、或いは消去が不可能である旨を表示装置に表示することにより、その旨をユーザに報知して、手続きを終了する。
【００４２】
上記手続きによれば、ＤＶＤが市販されている再生専用ディスクである場合には、上記従来の視聴制限機能が発揮される。即ち、ＤＶＤに記録されているパレンタルレベルがユーザのパレンタルレベル以下である場合に限って、ＡＶブロックが再生される。
又、ＤＶＤが記録可能なディスクであって、ユーザが管理者ユーザである場合には、選択されたＡＶブロックがＤＶＤに記録されている何れのブロックであるかに拘わらず、常に、選択されたＡＶブロックが再生され、或いは消去される。
これに対し、ＤＶＤが記録可能なディスクであって、ユーザが管理者ユーザでない場合には、選択されたＡＶブロックが該ユーザの記録したものである場合に限って、該ＡＶブロックが再生され、或いは消去される。
又、ＡＶブロックの記録時には、記録を行なったユーザのパレンタルレベル情報が図７に示すアクセス制御テーブル情報に追加される。
【００４３】
例えば、親のパレンタルレベルを“８”、子供のパレンタルレベルを“３”として親及び子供のユーザ名及びパスワードを登録した後、パレンタルレベルが“５”の再生専用ディスクをレコーダ本体に装填して、親が再生操作を行なった場合には、該ディスクに記録されている番組データが再生されるが、子供が再生操作を行なった場合には、該番組データは再生されない。
これに対し、記録可能なディスクであって、パレンタルレベルが“５”のディスクをレコーダ本体に装填した場合には、親及び子供の何れのユーザが再生操作を行なっても、該ディスクに記録されている番組データは再生されない。該番組データは、パレンタルレベルを“５”としてユーザ名及びパスワードを登録したユーザが再生操作を行なった場合に限って再生されることになる。
【００４４】
本実施例のＤＶＤレコーダにおいては、上述の如く、管理者ユーザ以外のユーザにより再生操作が行なわれたとき、ＡＶブロックが該ユーザの記録したものである場合に限って、該ＡＶブロックが再生されるので、子供に悪影響を与える内容の番組を子供が視聴することを防止することが出来る。
又、管理者ユーザ以外のユーザにより消去操作が行なわれたとき、ＡＶブロックが該ユーザの記録したものである場合に限って、該ＡＶブロックがＤＶＤから消去されるので、自己の記録したＡＶブロックが知らない間に管理者ユーザ以外の他人に消去されることを防止することが出来る。
又、従来のＤＶＤプレーヤの様にユーザが変わる度にパレンタルレベルの設定を変更する操作は不要である。
更に、ＤＶＤが市販されている再生専用ディスクである場合には、従来の視聴制限機能を実現することが出来る。
更に又、上述の如くパレンタルレベルをユーザの識別番号として利用するので、ユーザの識別番号とユーザ名及びパスワードとを対応付けるテーブル情報は不要であり、主制御回路（４９）の内蔵メモリの使用容量を節減することが出来る。
【００４５】
尚、本発明の各部構成は上記実施の形態に限らず、特許請求の範囲に記載の技術的範囲内で種々の変形が可能である。
例えば、上記第１実施例においては本発明をＶＴＲに実施し、上記第２実施例においてはＤＶＤレコーダに実施しているが、ハードディスクプレーヤ等のその他の周知の信号再生装置及び信号記録再生装置に実施することが可能である。
又、記録媒体としては、磁気テープやＤＶＤ等の外部記録媒体に限らず、ＥＰＲＯＭ等のメモリを採用することも可能である。
【図面の簡単な説明】
【図１】第１実施例のＶＴＲの構成を表わすブロック図である。
【図２】上記ＶＴＲの内蔵メモリに格納されているユーザ認証テーブル情報の一例を表わす図である。
【図３】上記ＶＴＲによって磁気テープに記録されたビットストリームのフォーマットを表わす図である。
【図４】上記ＶＴＲにおいて実行される制御手続きを表わすブローチャートである。
【図５】第２実施例のＤＶＤレコーダの構成を表わすブロック図である。
【図６】上記ＤＶＤレコーダの内蔵メモリに格納されているユーザ認証テーブル情報の一例を表わす図である。
【図７】上記ＤＶＤレコーダによってＤＶＤに記録されたビットストリームのフォーマットを表わす図である。
【図８】上記ＤＶＤレコーダにおいて実行される制御手続きを表わすフローチャートである。
【符号の説明】
（３）  地上放送波受信用アンテナ
（５）  衛星放送波受信用アンテナ
（１０）  磁気ヘッド
（１１）  磁気テープ
（２１）  主制御回路
【図１】
2004280939.tif 000003
【図２】
2004280939.tif 000004
【図３】
2004280939.tif 000005
【図４】
2004280939.tif 000006
【図５】
2004280939.tif 000007
【図６】
2004280939.tif 000008
【図７】
2004280939.tif 000009
【図８】
2004280939.tif 000010